(57)【要約】【課題】この発明は背床部の起伏動作に応じてテーブル板を利用者が使い易いように上下動させることができるベッド装置を提供することにある。【解決手段】ベッドフレーム１と、複数に分割されてベッドフレームに設けられ少なくとも利用者の上半身に対応する背床部４が起伏駆動可能となった床板３と、ベッドフレームの一側にリンク９によってベッドフレームの長手方向に沿う前後方向に移動しながら上下動するよう設けられたテーブル板１４と、背床部が起上方向に駆動されることでこの背床部の動きにリンクを連動させテーブル板を上昇させながら背床部の起上方向前方へ移動させる連動軸２１とを具備する。【選択図】図１
2006314603.tif 000002
【特許請求の範囲】
【請求項１】
ベッドフレームと、
複数に分割されて上記ベッドフレームに設けられ少なくとも利用者の上半身に対応する床部が起伏駆動可能となった床板と、
上記ベッドフレームの一側にリンク機構によって上記ベッドフレームの長手方向に沿う前後方向に移動しながら上下動するよう設けられたテーブル板と、
上記床板の起伏駆動可能な床部が起上方向に駆動されることでこの床部の動きに上記リンク機構を連動させ上記テーブル板を上昇させながら上記床部の起上方向前方へ移動させる連動部材と
を具備したことを特徴とする背上げ式ベッド装置。
【請求項２】
上記リンク機構は一端が上記ベッドフレームに回動可能に連結され、他端が上記テーブル板に回動可能に連結された一対のリンクを有し、
上記連動部材は一端が上記床板の起伏可能な床部に連結され他端が上記一対のリンクの一方に係合していることを特徴とする請求項１記載の背上げ式ベッド装置。
【請求項３】
上記リンク機構は一端が上記ベッドフレームに回動可能に連結され、他端が取付け部材に回動可能に連結された一対のリンクを有し、
上記テーブル板は上記取付け部材に上記前後方向に移動可能に保持されていることを特徴とする請求項１記載の背上げ式ベッド装置。
【発明の詳細な説明】
【技術分野】
【０００１】
この発明は床板の一部を起伏駆動して利用者の上半身を起こすことができる背上げ式ベッド装置に関する。
【背景技術】
【０００２】
一般に、背上げ式ベッド装置はベッドフレームを有し、このベッドフレームには床板が設けられる。床板は複数の床部に分割され、そのうちの少なくとも利用者の上半身に対応する床部である、背床部は起伏駆動機構によって起伏駆動可能に設けられている。したがって、背床部を上昇方向に駆動すれば、床板上にマットレスを介して仰臥した利用者は上半身を起こすことができる。
【０００３】
一方、ベッドフレームの側方には、利用者が小物類を置くためのサイドテーブルが設置される。このサイドテーブルは、通常、マットレス上に仰臥した利用者が側方に手を伸ばしたときに使用し易いよう、高さ及びベッドフレームの長手方向に沿う前後方向に位置決め設置されている。
【発明の開示】
【発明が解決しようとする課題】
【０００４】
しかしながら、上記サイドテーブルが上述したように利用者が仰臥したときに使い易い位置に設置されていても、背床部を起上して利用者が上半身を起こすと、利用者の上半身は背床部の起上方向前方へ移動する。そのため、利用者が仰臥しているときに上記サイドテーブルが使い易い位置にあっても、上半身を起こしたときには利用者の後方で、しかも下方に位置することになるから、上記サイドテーブルが使い難くなるということがある。
【０００５】
この発明は、利用者が仰臥しているときでも、上半身を起こしたときでも、テーブル板が利用者が使い易い位置になるようにした起床式ベッド装置を提供することにある。
【課題を解決するための手段】
【０００６】
この発明は、ベッドフレームと、
複数に分割されて上記ベッドフレームに設けられ少なくとも利用者の上半身に対応する床部が起伏駆動可能となった床板と、
上記ベッドフレームの一側にリンク機構によって上記ベッドフレームの長手方向に沿う前後方向に移動しながら上下動するよう設けられたテーブル板と、
上記床板の起伏駆動可能な床部が起上方向に駆動されることでこの床部の動きに上記リンク機構を連動させ上記テーブル板を上昇させながら上記床部の起上方向前方へ移動させる連動部材と
を具備したことを特徴とする背上げ式ベッド装置にある。
【０００７】
上記リンク機構は一端が上記ベッドフレームに回動可能に連結され、他端が上記テーブル板に回動可能に連結された一対のリンクを有し、
上記連動部材は一端が上記床板の起伏可能な床部に連結され他端が上記一対のリンクの一方に係合していることが好ましい。
【０００８】
上記リンク機構は一端が上記ベッドフレームに回動可能に連結され、他端が取付け部材に回動可能に連結された一対のリンクを有し、
上記テーブル板は上記取付け部材に上記前後方向に移動可能に保持されていることが好ましい。
【発明の効果】
【０００９】
この発明によれば、床板の起伏可能な床部を起上させると、その床部の起上に連動するリンク機構によって上記テーブル板が上昇しながら上記床部の起上方向前方へ移動するから、利用者が上半身を起こしたときでも、上記テーブル板を利用者の側方に位置決めすることが可能となる。
【発明を実施するための最良の形態】
【００１０】
以下、この発明の一実施の形態を図面を参照して説明する。
【００１１】
図１乃至図３はこの発明の第１の実施の形態を示す。図１に示すベッド装置は長手方向一端にヘッドボード２が立設されたベッドフレーム１を備えている。このベッドフレーム１には床板３が設けられている。床板３は複数の床部に分割され、そのうちの少なくとも利用者の上半身に対応する背床部４は図示しない背上げ機構によってほぼ水平の倒伏した状態と所定の角度で起立した状態との間で起伏駆動されるようになっている。なお、上記床板３上にはマットレスＭが載置され、このマットレスＭ上に利用者が仰臥することになる。
【００１２】
図２に示すように、上記ベッドフレーム１の側板５の内面には金属製の角パイプからなる補強部材６が設けられている。この補強部材６の上記背床部４の一側に対応する部分には帯状板をＬ字状に折曲した一対の連結部材７の一端部がねじ７ａによって取付け固定されている。
【００１３】
一対の連結部材７の水平となった他端には支持部材８の長手方向の両端部が取付け固定されている。この支持部材８はたとえば金属製の扁平角パイプからなり、その一端部と中途部とにはそれぞれ矩形枠状の一対のリンク９の一端部が回動可能に支持されている。
【００１４】
なお、各リンク９の側面形状は図１に示すように円弧状に湾曲されている。一対のリンク９の他端は取付け部材１１に回動可能に連結されている。つまり、支持部材８、一対のリンク９及び取付け部材１１によってリンク機構を構成している。
【００１５】
図２と図３に示すように、上記取付け部材１１の上面には、幅方向の両端にＬ字状のガイド部１２が形成されたガイド部材１３がそのガイド部１２をベッドフレーム１の長手方向に沿わせてねじ１３ａによって取付け固定されている。
【００１６】
上記ガイド部材１３には矩形状のテーブル板１４が上記ベッドフレーム１の長手方向に沿って設けられている。すなわち、上記テーブル板１４の下面の幅方向両端部にはそれぞれレール部材１５が長手方向に沿って設けられていて、このレール部材１５の一側面に形成された溝部１６に上記ガイド部材１３のガイド部１２が移動可能に挿入されている。
【００１７】
それによって、上記テーブル板１４は上記ガイド部１２に沿って移動可能となっている。つまり、ベッドフレーム１の前後方向に沿って移動可能となっている。なお、テーブル板１４の下面には、図３に示すように上記テーブル板１４がガイド部１２に沿って動きやすいよう、樹脂テープ１４ａが貼着されている。
【００１８】
なお、一対のレール部材１５の長手方向両端には、上記ガイド部１２が上記溝部１６から抜け出るのを阻止するための一対のストッパ部材１７が設けられている。  
図２に示すように、一対のリンク９のうちの一方のリンク９の中途部には一対の舌片１８が設けられている。一対の舌片１８には連動部材としての連動軸２１の一端部が支持されていて、この連動軸２１の端部はベッドフレーム１の幅方向外方に位置する一方の舌片１８に設けられたナット２２にねじ込まれている。つまり、連動軸２１はリンク９にねじ止め固定されている。
【００１９】
上記連動軸２１の他端部はほぼ水平に倒伏した背床部４の幅方向一端部の上面に接触若しくはわずかな隙間を介して対向位置している。したがって、上記背床部４が起上方向に駆動されると、上記連動軸２１が上記背床部４によって押し上げられるから、その連動軸２１によりリンク９が図１に鎖線で示す倒伏状態から実線で示す起立方向へ回動する。
【００２０】
つまり、一対のリンク９は取付け部材１１に連結された一端を支点として他端が背床部４の起立方向前方に移動するよう回動する。それによって、リンク９の他端に取り付けられたテーブル板１４は水平状態を維持しながら図１に鎖線で示す下降位置から実線で示すように上昇しながら起立方向の前方へ移動することになる。  
なお、テーブル板１４の下降位置はマットレスＭの上面よりもわずかに低い位置であって、上昇位置はマットレスＭの上面よりも高い位置である。
【００２１】
このような構成の起床式ベッド装置によれば、背床部４が倒伏状態にあるとき、テーブル板１４は図１に鎖線で示すようにマットレスＭ上に仰臥した利用者の上半身の側方のマットレスＭの上面よりもわずかに低い位置にある。そのため、マットレスＭ上に仰臥した利用者は側方に手を伸ばすことで、上記テーブル板１４を容易に利用することができる。
【００２２】
利用者が上半身を起こすために背床部４を上昇させると、この背床部４の上昇に連動軸２１を介して一対のリンク９が連動する。つまり、一対のリンク９が支持部材８に取り付けられた一端を支点として他端が上昇する方向に回動する。
【００２３】
それによって、リンク９の他端に設けられたテーブル板１４がリンク９の回動に連動し、上昇しながら背床部４の起上方向前方へ移動するから、利用者が背床部４によって上半身が起こされると、その利用者の側方にテーブル板１４が位置することになる。
【００２４】
つまり、背床部４を起上させて利用者が上半身を起こすと、上記テーブル板１４が前後方向及び高さを変えて利用者の側方に位置するため、上半身を起こしたときにも上記テーブル板１４を容易に利用することが可能となる。
【００２５】
上記テーブル板１４は、一対のリンク９の他端に取付け部材１１に取り付けられたガイド部材１３のガイド部１２に沿ってベッドフレーム１の前後方向に移動可能に設けられている。
【００２６】
そのため、背床部４を上昇させることで、下降位置から上昇位置に上昇したテーブル板１４を、その上昇位置でさらに前後方向へ移動させることができる。たとえば、テーブル板１４を図１に鎖線で示すように前方へ移動させれば、上半身を起こした利用者にとって利用し易い位置に位置決めすることができ、実線で示すように後方へ移動させれば、利用者がベッド装置から降りるときに上記テーブル板１４が邪魔になることがない。
【００２７】
なお、この第１の実施の形態において、一対のリンク９の側面形状を円弧状にしたが、直線状であっても差し支えなく、さらに正面形状を矩形枠状としたが、直線状であっても差し支えない。
【００２８】
図４乃至図６はこの発明の第２の実施の形態を示す。この実施の形態は背床部４の動きを一対のリンクに伝達する構成が第１の実施の形態と相違している。すなわち、床板３の背床部４を形成するフレーム２５の一側には図５に示すように連動部材としての連動ロッド２６のコ字状に曲成された一端部がねじ２７によって取付け固定されている。この連動ロッド２６の他端にはローラ２８が回転可能に取り付けられている。
【００２９】
一方、ベッドフレーム１の側板５の内面に設けられた補強部材６には支持部材８が取付け固定されている。この支持部材８の長手方向両端部には棒材をクランク状に折曲した一対のリンク２９の一端が回動可能に支持されている。
【００３０】
各リンク２９の他端はテーブル板１４の下面に取付け固定された取付け部材３１の長手方向の両端に回動可能に連結されている。つまり、一対のリンク２９、支持部材８及び取付け部材３１によって平行リンク機構を構成している。そして、図６に鎖線で示すように背床部４が倒伏した状態において、背床部４のフレーム２５に一端が連結された連結ロッド２６の他端に設けられたローラ２８が倒伏した一方のリンク２９の下方に係合している。
【００３１】
それによって、上記背床部４が図６に鎖線で示す倒伏状態から実線で示す起立状態に駆動されれば、テーブル板１４が下降位置から上昇位置に変位しながら背床部４の起立方向前方へ移動する。したがって、利用者は背床部４が倒伏した状態と、所定の角度で起立した状態とのいずれであっても、上記テーブル板１４を容易に利用することができる。
【００３２】
なお、この第２の実施の形態において、リンク２９の他端が取り付けられる取付け部材３１をテーブル板１４の下面に固定したが、第１の実施の形態と同様、テーブル板１４を取付け部材３１に対してベッドフレーム１の長手方向に沿う前後方向に沿って移動可能に設けるようにしてもよい。
【図面の簡単な説明】
【００３３】
【図１】この発明の第１の実施の形態を示すベッド装置のヘッドボード側の部分を示す側面図。
【図２】テーブル板をベッドフレームに対して上下方向に変位可能に設けたリンク機構を示す正面図。
【図３】テーブル板をベッドフレームの長手方向に移動可能に設けた構成を示す拡大図。
【図４】この発明の第２の実施の形態を示すベッド装置の一部分の平面図。
【図５】テーブル板をベッドフレームに対して上下方向に変位可能に設けたリンク機構を示す正面図。
【図６】リンク機構の側面図。
【符号の説明】
【００３４】
１…ベッドフレーム、３…床板、４…背床部、９，２９…リンク、１３…ガイド部材、１４…テーブル板、１５…レール部材、２１…連動軸（連動部材）、２６…連動ロッド（連動部材）、２８…ローラ。
【図１】
2006314603.tif 000003
【図２】
2006314603.tif 000004
【図３】
2006314603.tif 000005
【図４】
2006314603.tif 000006
【図５】
2006314603.tif 000007
【図６】
2006314603.tif 000008